(57)【要約】【課題】島枠と台枠の隙間からスライドボルトを確実に駆動できるスライドボルト駆動装置を提供する。【解決手段】島枠に、パチンコ台本体が取り付けられた台枠を固定する上部取付装置に連接されるスライド機構駆動装置であって、島枠の上部と前記台枠の上部の間に設けられる隙間と、パチンコ台本体の正面側から隙間に挿入される調整棒と、調整棒の先端が嵌め込まれ、調整棒の回転により上部取付装置に設けられたスライドボルトもしくはスライドタップを回転させる駆動手段と、島枠の上部下面に取り付けられ、調整棒を駆動手段に導くと共に、隙間の高さを確保するガイド具と、が備えられることを特徴とする。【選択図】図３
2015217157.tif 000002
【特許請求の範囲】
【請求項１】
島枠に、パチンコ台本体が取り付けられた台枠を固定する上部取付装置に連接されるスライド機構駆動装置であって、
前記島枠の上部と前記台枠の上部の間に設けられる隙間と、
前記パチンコ台本体の正面側から前記隙間に挿入される調整棒と、
前記調整棒の先端が嵌め込まれ、前記調整棒の回転により前記上部取付け装置に設けられたスライドボルトもしくはスライドタップを回転させる駆動手段と、
前記島枠の上部下面に取り付けられ、前記調整棒を前記駆動手段に導くと共に、前記隙間の高さを確保するガイド具と、
が備えられることを特徴とするスライド機構駆動装置。
【請求項２】
前記駆動手段は、前記調整棒が係合孔部に嵌め込まれて回転される第１歯車と、前記スライドボルトの一端に取り付けられ、前記第１歯車が回転すると回転する第２歯車の少なくとも２つからなり、前記調整棒で前記スライドボルトを回転させることにより、前記スライドタップを前後動させることを特徴とする請求項１に記載のスライド機構駆動装置。
【請求項３】
前記駆動手段は、前記調整棒が係合孔部に嵌め込まれて回転される第１歯車と、スライドタップと一体に設けられ、前記第１歯車が回転すると回転する第２歯車の少なくとも２つからなり、前記スライドタップを直接回転して、前記スライドタップを前後動させることを特徴とする請求項１に記載のスライド機構駆動装置。
【請求項４】
前記ガイド具は、ガイド具の長尺な垂直側面をガイド面とする、もしくはガイド具の長尺な垂直側面及び天井面の両方をガイド面とすることを特徴とする請求項１に記載のスライド機構駆動装置。
【請求項５】
開閉可能なシャッターが設けられ、開いた状態では前記調整棒が前記駆動手段に係合可能で、閉じた状態では前記調整棒の前記駆動手段への係合が遮断されることを特徴とする請求項１に記載のスライド機構駆動装置。
【請求項６】
前記調整棒には、前記台枠の傾斜の度合いを示す目盛が刻印されていることを特徴とする請求項１に記載のスライド機構駆動装置。
【発明の詳細な説明】
【技術分野】
【０００１】
本発明は、スライド機構駆動装置に係り、より詳しくは、島枠と台枠の隙間から上部取付装置に設けられたスライドボルトまたはスライドタップを回転させることができるスライド機構駆動装置に関する。
【背景技術】
【０００２】
特許文献１には、パチンコ台本体が取り付けられた台枠をスライド可能に島枠に組み付ける上部取付装置が示される。図１０に特許文献１の上部取付装置を示す。図１０に示すように、上部取付装置３０のスライドボルト１には、スライドボルト調整工具６０が取り付けられる。スライドボルト調整工具６０は、べルトとプーリからなり、電動ドライバーで回して調整する。調整時には、台枠１０にヒンジ結合されたパチンコ台本体４０は操作のため開いておく。電動ドライバーでスライドボルト１を回すと、スライドタップが前後動して、台枠１０を噛み込んだグリップベースをスライドさせるので、台枠がスライドしてパチンコ台本体４０を傾斜させることができる。スライドボルト調整工具６０は、パチンコ台本体を開いたままの状態として、スライドボルト１を正面側から回せるが、機構が大きく、電動ドライバーを必要とするなど扱いにくい。スライドボルト及びスライドタップからなるスライド機構を確実に駆動して、スライドタップを前後動させることができるスライド機構駆動装置が望まれる。
【０００３】
特許文献２では、ワイヤ１７でスライドボルトを回転させている。図１１に特許文献２の上部取付装置を示す。図１１に示すように、ワイヤ１７は、一端がスライドボルトに取り付けられ、他端が島枠９の上部に接続され、幕板を開いてパチンコ台本体４０の傾斜角度の調整を行なう。しかしながら、幕板の裏側部分には多数の配線やパチンコ台本体への玉の供給通路（樋）があるので、ワイヤ１７が通しにくい。また、幕板の下側に出玉の箱置場がある場合は、幕板までの距離がさらに長くなって、同様にワイヤ１７が通しにくい。ワイヤ１７が長くなると必ずしもワイヤ１７を捩じった量だけスライドボルトが回転しない場合もある。
【先行技術文献】
【特許文献】
【０００４】
【特許文献１】特開２００９−１４８４８６号公報
【特許文献２】特開２０１２−１１１５７号公報
【発明の概要】
【発明が解決しようとする課題】
【０００５】
本発明の目的は、島枠と台枠の隙間から操作することができ、また、スライドボルトまたはスライドタップを確実に駆動できるスライド機構駆動装置を提供することにある。
【課題を解決するための手段】
【０００６】
本発明によるスライド機構駆動装置は、島枠に、パチンコ台本体が取り付けられた台枠を固定する上部取付装置に連接されるスライド機構駆動装置であって、前記島枠の上部と前記台枠の上部の間に設けられる隙間と、前記パチンコ台本体の正面側から前記隙間に挿入される調整棒と、前記調整棒の先端が嵌め込まれ、前記調整棒の回転により前記上部取付け装置に設けられたスライドボルトもしくはスライドタップを回転させる駆動手段と、前記島枠の上部下面に取り付けられ、前記調整棒を前記駆動手段に導くと共に、前記隙間の高さを確保するガイド具と、が備えられることを特徴とする。
【０００７】
前記駆動手段は、前記調整棒が係合孔部に嵌め込まれて回転される第１歯車と、前記スライドボルトの一端に取り付けられ、前記第１歯車が回転すると回転する第２歯車の少なくとも２つからなり、前記調整棒で前記スライドボルトを回転させることにより、前記スライドタップを前後動させることを特徴とする。
【０００８】
前記駆動手段は、前記調整棒が係合孔部に嵌め込まれて回転される第１歯車と、スライドタップと一体に設けられ、前記第１歯車が回転すると回転する第２歯車の少なくとも２つからなり、前記スライドタップを直接回転して、前記スライドタップを前後動させることを特徴とする。
【０００９】
前記ガイド具は、ガイド具の長尺な垂直側面をガイド面とする、もしくはガイド具の長尺な垂直側面及び天井面の両方をガイド面とすることを特徴とする。
【００１０】
開閉可能なシャッターが設けられ、開いた状態では前記調整棒が前記駆動手段に係合可能で、閉じた状態では前記調整棒の前記駆動手段への係合が遮断されることを特徴とする。
【００１１】
前記調整棒には、前記台枠の傾斜の度合いを示す目盛が刻印されていることを特徴とする。
【発明の効果】
【００１２】
本発明のスライド機構駆動装置によれば、島枠の上部と台枠の上部の間に隙間を設け、この隙間に調整棒を挿入し、スライドボルト又はスライドタップを回転させる駆動手段を設けたので、調整棒を回すことで、スライドボルトまたはスライドタップを回転できる。しかもパチンコ台本体は閉じたままで、正面側から調整できる。スライドボルトまたはスライドタップが回転すると、スライドタップが前後動して、例えば上部取付装置に設けられ、台枠上部を噛み込んだグリップ機構をスライドさせるので、台枠がスライドし、結果としてパチンコ台本体を傾斜させることができる。ガイド具は、隙間に差し込まれた調整棒を駆動手段に係合するよう導くことができる。ガイド具は、隙間の高さを確保して、調整棒の挿入を容易にする。
【００１３】
駆動手段は、図８の構成例１に示すように、調整棒が嵌め込まれて回転される第１歯車と、スライドボルトの一端に取り付けられ、第１歯車が回転すると回転する第２歯車の少なくとも２つの歯車を設けたので、スライドボルトを回転させて、スライドタップを前後動させることができる。
【００１４】
駆動手段は、図９の構成例２に示すように、調整棒が嵌め込まれて回転される第１歯車と、スライドタップと一体に設けられ、第１歯車が回転すると回転する第２歯車の少なくとも２つの歯車を設けたので、スライドタップを直接回転して前後動させることができる。
【００１５】
ガイド具の長尺な垂直側面をガイド面とする場合は、島枠が新規で島枠の上部下面が荒れていないような場合に向いており、調整棒の先端をガイド面に接触させてなめらかにガイドできる。ガイド具の長尺な垂直側面と天井面の両方をガイド面とする場合は、島枠が古く島枠の上部下面が荒れている場合に向いており、島枠の上部下面が釘孔などで荒れていても滑らかにガイドできる。
【００１６】
開閉可能なシャッターを設けたので、シャッターを閉じれば調整棒が駆動手段に係合できないので、セキュリティを向上させ、不正な操作を防止できる。
【００１７】
調整棒に目盛を刻印したので、傾斜させた台枠の上端位置を目盛で読み取ることができる。上部取付装置は、島枠上部の左右２箇所に設けられるので、読み取った２本の調整棒目盛の値を比較することで、台枠がねじれて傾斜しているかどうかを判定できる。
【図面の簡単な説明】
【００１８】
【図１】本発明によるスライド機構駆動装置を島枠下方から見た図である。
【図２】図１のスライド機構駆動装置を島枠背面上方から見た図である。
【図３】島枠に台枠が組み込まれた状態で、スライド機構駆動装置を上方から見た図である。
【図４】図３の隙間の拡大斜視図である。
【図５】調整棒の他の構成例を示す斜視図である。
【図６】ガイド具の他の構成例を示す斜視図である。
【図７】シャッターの説明図である。（Ａ）はシャッターが閉じられ、調整棒が係合孔に係合不可の状態を示す。（Ｂ）は、シャッターが開かれ、調整棒が係合孔に係合可能な状態を示す。
【図８】上部取付装置とスライド機構駆動装置（構成例１）の斜視図である。
【図９】上部取付装置とスライド機構駆動装置（構成例２）の斜視図である。
【図１０】従来（特許文献１）の上部取付装置の側面図である。
【図１１】従来（特許文献２）の上部取付装置の側面図である。
【発明を実施するための形態】
【００１９】
以下、図面を参照して本発明によるスライド機構駆動装置を詳しく説明する。
【実施例】
【００２０】
図１は、本発明によるスライド機構駆動装置１００を島枠９の下方から見た図である。スライド機構駆動装置１００は、上部取付装置３０に連接される装置で、調整棒１４と、複数の歯車からなるスライドボルトの駆動手段２２と、ガイド具１６を含んで構成される。駆動手段２２の第１歯車１１の係合部１１ａには、調整棒１４の先端が嵌め込まれる。駆動手段２２（構成例１）は、調整棒１４を回転させると、これによって回転される第１歯車１１と、第１歯車１１と歯合して回転する第３歯車１２と、スライドボルト１に取り付けられ、第３歯車１２と歯合して回転する第２歯車１３と、からなる。図１に示すように、上部取付装置３０は、島枠９の上部の背面側の側面にネジ固定され、島枠９の天井面側に張り付いて、台枠１０を島枠９にスライド可能に固定する装置である。上部取付装置３０は、スライドボルト１を備える。
【００２１】
図１に示すように、ガイド具１６は、島枠９の上部下面（天井面）に取り付けられる。ガイド具１６は矩形体で、長尺な垂直側面をガイド面１６ａとし、調整棒１４の先端を第１歯車１１の係合部１１ａに導く。調整棒１４を係合部１１ａに係合させた状態で、調整棒１４を回転させると、第１歯車１１が回転し、第３歯車１２を介して第２歯車１３が回転する。
【００２２】
図２は、図１のスライド機構駆動装置１００を島枠９の背面上方から見た図である。例えば、調整棒１４によって第１歯車１１を右回りに回転させると、第３歯車１２は左回りに回転し、第２歯車１３は右回りに回転する。第２歯車１３が右回りに回転すると、スライドボルト１が右回りに回転する。この実施例では第１歯車１１と第２歯車１３の間に第３歯車１２を設けたが、好ましくは第１歯車１１と第２歯車１３の径を大きくして、第１歯車１１と第２歯車１３が直接歯合するように構成することができる。その場合、第１歯車１１を右回りに回転させると、第２歯車１３は左回りに回転する。なお、第１歯車と第２歯車の間が大きく離れるような場合は、第３歯車ではなくチェーンやベルトを使用してもよい。
【００２３】
図２において、スライドボルト１は、回転はしても両端が前後動しないように支持されるので、スライドボルト１に螺合したスライドタップ２が、矢印で示す方向に移動する。スライドタップ２の底部は、グリップベース５に溶接されており、さらにグリップベース５の下側には、図１示すように、台枠１０を噛み込む噛み込み部６が連結されているので、スライドタップ２が前後動すれば台枠１０がスライドする。
【００２４】
図３は、島枠９に台枠１０が組み込まれた状態で、スライド機構駆動装置１００を上方から見た図である。島枠９の上部と台枠１０の上部の間には隙間１５が設けられる。隙間１５に、正面側から調整棒１４が挿入される。図３に示すように、調整棒１４を回転させると、駆動手段２２を介してスライドボルト１が回転し、スライドタップ２が前後動して、台枠１０がスライドするから、最終的に台枠１０に取り付けられたパチンコ台本体４０を傾斜させることができる。
【００２５】
図４は、図３の隙間１５の拡大斜視図である。隙間１５は、調整棒１４、ガイド具１６が挿入できる。ガイド具１６は矩形体なので、隙間が一定の高さとなるようにできる。調整棒１４には、目盛２１が刻印されており、台枠１０がどれくらい傾斜しているか読み取ることができる。上部取付装置３０とスライド機構駆動装置１００は、台枠１０の上部の左右２箇所に設けられるので、読み取った２本の調整棒１４の目盛を比較すれば、台枠がねじれて傾斜しているか判定できる。
【００２６】
図５は、調整棒１４の他の構成例を示す斜視図である。調整棒１４は、図１に示すようなＬ字形のハンドル１４ａに限らず、図５に示すようなＴ字形のハンドル１４ａとしてもよい。ハンドルではなく、径太のつまみでもよい。いずれも、調整棒１４に大きな回転力を与えることができる。なお、調整棒１４の係合部１４ｂは、第１歯車１１の係合孔部１８に嵌め込むため六角柱としたが、この形状もこれに限られるものではない。
【００２７】
図６は、ガイド具１６の他の構成例を示す斜視図である。ガイド具１６は図１に示すような矩形体ではない構成にもできる。例えば、図６（Ａ）に示すような断面がＬ字形の長尺な部材を使用できる。この場合、ガイド面１６ａは、長尺な垂直側面及び天井面の両方がガイド面となるので、島枠９の表面が荒れているような場合でも調整棒１４をなめらかに係合部１１ａに導ける。同様に、図６（Ｂ）に示すような断面がＬ字形の長尺な部材を使用し、長尺な垂直側面をガイド面としてもよい。図６（Ｂ）は、矩形体ではないので、１本では、隙間を左右方向に安定に維持できないが、図６（Ｂ）のガイド具を島枠９の上部下面の左右二カ所に設けられるので、安定して隙間の高さを確保できる。なお、ガイド具１６は、断面がＬ字形に限られるものではなくコ字形としてもよい。
【００２８】
図７は、シャッター２０の説明図である。図７（Ａ）はシャッター２０を閉じれば、入り口が遮断されるので、調整棒１４が第１歯車の係合部１１ａの係合孔部１８に係合できない状態にできる。図７（Ｂ）は、シャッター２０を開けば、調整棒１４が係合孔部１８に係合可能な状態にできる。シャッター２０は、セキュリティを向上させ、不正な操作を防止できる。なお、シャッター２０の開閉はワイヤなどで遠隔から行なう。本実施では、シャッターは、係合孔部１８を塞ぐ板状のものとしたが、棒状の突起で係合孔部１８を塞ぐように構成してもよい。
【００２９】
図８は、上部取付装置３０とスライド機構駆動装置１００（構成例１）の斜視図である。スライドボルト１は、両端が垂直支持部材３である第１垂直支持部材３ａと第２垂直支持部材３ｂで回転可能に、かつ前後動は不可に支持される。第１垂直支持部材３ａと第２垂直支持部材３ｂは、底部が２枚のスライドベース１９、１９で連結される。第１垂直支持部材３ａには長孔が設けられ、スライドボルト１が上下動可能となるようにバネ（図示せず）で支持されている。スライドベース１９、１９の間は、スライドタップ２の前後動が可能なように開口している。なお、スライドベース１９、１９の下側にベースレール４、４が取り付けられる。
【００３０】
図８に示すように、グリップベース５の下側には、台枠１０を噛み込むグリップ機構が連接される。このグリップ機構は、レバー７を操作して噛み込み部６を台枠１０に噛み込むことができる。なお、ラチェットボルト８を操作すれば、噛み込み部６の開口度合いが調節できる。図８ではスライド機構駆動装置１００を構成する第１歯車１１、第３歯車１２、及び第２歯車１３が、第２垂直支持部材３ｂの背面側に設置される。調整棒１４の先端は、第１歯車１１の係合部１１ａの係合孔部１８に嵌め込まれる。第２歯車１３は、スライドボルト１が上下動しても、第３歯車１２との歯合は、整合して維持できるものとする。なお、この実施例では台枠を噛み込むグリップ機構を示したが、台枠の一端を引っ掛けるフック機構が採用されてもよい。
【００３１】
図９は、上部取付装置３０とスライド機構駆動装置１００（構成例２）の斜視図である。構成例１は、スライドボルト１を回転してスライドタップ２を前後動させたが、構成例２では、調整棒１４でスライドタップ２を回転してスライドタップ２を前後動させる。駆動手段２２は、第１歯車１１と、第１歯車１１と歯合して回転する第３歯車１２と、第３歯車１２と歯合して回転する第２歯車１３と、からなる。この実施例では第１歯車１１と第２歯車１３の間に、第３歯車１２を設けたが、第１歯車１１と第２歯車１３の径を大きくして、第１歯車１１と第２歯車１３が歯合するように構成してもよい。
【００３２】
図９において、スライドタップ２と第２歯車１３は一体に形成されており、スライドボルト１に回転可能に螺合される。第１歯車１１、第３歯車１２及び第２歯車１３は、両側を支持板２３、２３に挟まれるように取り付けられており、歯車は所定の位置関係を維持して回転する。第２歯車１３が回転すると、一体に形成されたスライドタップ２が回転してスライドボルト１に沿って前後動し、支持板２３、２３が押されて動く。そのため、調整棒１４の先端が係合する第１歯車１１の係合部１１ａは、一定の位置にはない。グリッドベース５は、ハンガー２４、２４でスライドボルト１に上下動可能に吊り下げられるので、スライドタップ２が前後動すれば、ハンガー２４、２４を前後方向に押すので、グリップベース５がスライドできる。
【００３３】
本実施例では駆動手段を歯車からなるとしたが、これに限らず調整棒１４でスライドボルト１を直接で回転させるようにもできる。具体的には、図８に示す第１歯車１１の回転軸の位置に、係合孔部１８を備えたスライドボルト１を取り付け、調整棒１４の先端の係合部１４ｂを係合孔部１８に嵌め込むようにする。スライドタップ２は、スライドボルト１にネジ着し、スライドボルト１の回転でスライドさせると共に、スライドタップ２の側面を延長して貫通孔を設け、該貫通孔を第１垂直支持部材３ａと第２垂直支持部材３ｂに掛け渡された支持棒にスライド可能に通す。
【００３４】
この他にも図１０に示すようなワイヤで駆動してもよい。具体的には、スライドボルト１の一端にボルトヘッドを設け、これにキャップをかぶせてワイヤを接続し、ワイヤの他端には調整棒１４の先端が係合する係合孔部を設ける。
【産業上の利用可能性】
【００３５】
本発明によるスライド機構駆動装置は、台枠をスライドさせてパチンコ台本体の傾斜角度を調整する装置として好適である。
【符号の説明】
【００３６】
１    スライドボルト
２    スライドタップ
３    垂直支持部材
３ａ    第１垂直支持部材
３ｂ    第２垂直支持部材
４    ベースレール
５    グリップベース
６    噛み込み部
７    レバー
８    ラチェットボルト
９    島枠
１０    台枠
１１    第１歯車
１１ａ    係合部
１２    第３歯車
１３    第２歯車
１４    調整棒
１４ａ    ハンドル
１４ｂ    係合部
１５    隙間
１６    ガイド具
１６ａ    ガイド面
１７    ワイヤ
１８    係合孔部
１９    スライドベース
２０    シャッター
２１    目盛
２２    駆動手段
２３    支持板
２４    ハンガー
３０    上部取付装置
３１    下部取付装置
４０    パチンコ台本体
６０    スライドボルト調整工具
１００    スライド機構駆動装置
【図１】
2015217157.tif 000003
【図２】
2015217157.tif 000004
【図３】
2015217157.tif 000005
【図４】
2015217157.tif 000006
【図５】
2015217157.tif 000007
【図６】
2015217157.tif 000008
【図７】
2015217157.tif 000009
【図８】
2015217157.tif 000010
【図９】
2015217157.tif 000011
【図１０】
2015217157.tif 000012
【図１１】
2015217157.tif 000013
【手続補正書】
【提出日】平成26年8月14日(2014.8.14)
【手続補正１】
【補正対象書類名】特許請求の範囲
【補正対象項目名】請求項１
【補正方法】変更
【補正の内容】
【請求項１】
島枠に、パチンコ台本体が取り付けられた台枠を固定する上部取付装置に連接されるスライド機構駆動装置であって、
前記島枠の上部と前記台枠の上部の間に設けられる隙間と、
前記パチンコ台本体の正面側から前記隙間に挿入される調整棒と、
前記調整棒の先端が嵌め込まれ、前記調整棒の回転により前記上部取付装置に設けられたスライドボルトもしくはスライドタップを回転させる駆動手段と、
前記島枠の上部下面に取り付けられ、前記調整棒を前記駆動手段に導くと共に、前記隙間の高さを確保するガイド具と、
が備えられることを特徴とするスライド機構駆動装置。
【手続補正２】
【補正対象書類名】明細書
【補正対象項目名】０００６
【補正方法】変更
【補正の内容】
【０００６】
本発明によるスライド機構駆動装置は、島枠に、パチンコ台本体が取り付けられた台枠を固定する上部取付装置に連接されるスライド機構駆動装置であって、前記島枠の上部と前記台枠の上部の間に設けられる隙間と、前記パチンコ台本体の正面側から前記隙間に挿入される調整棒と、前記調整棒の先端が嵌め込まれ、前記調整棒の回転により前記上部取付装置に設けられたスライドボルトもしくはスライドタップを回転させる駆動手段と、前記島枠の上部下面に取り付けられ、前記調整棒を前記駆動手段に導くと共に、前記隙間の高さを確保するガイド具と、が備えられることを特徴とする。